(57)【要約】【課題】  広告看板の融通性と活発性を増やすとともに、周囲の歩行者の目を引きつけ、広告看板の最大の効果を発揮することができる広告看板を提供する。【解決手段】  広告展示面１０１、１０２を備える中空の箱形枠体１０と、箱型枠体１０内の容置空間に一定距離を隔てて直立して枢設される最少二本の巻き軸１２で、その中の一本に電動モータ１３を連結することにより駆動回転される最少二本の巻き軸１２と、巻き軸１２間に巻き付けてあり、かつ最少二面の広告展示面１０１、１０２の完全展示に供される広告面板１４とを備え、伝動モータ１３の駆動が巻き軸１２を回転することにより、相対して広告面板１４の内容を移動して広告の変換を行い、伝動モータ１３の間歇性回転に合わせて、広告面板１４の広告内容がその二面の広告展示面１０１、１０２の正確な位置へ回わされたら予定時間停止し、それから別の正確な位置へ回わされて停止する。【選択図】    図１
0003107980.tif 000002
【実用新案登録請求の範囲】
【請求項１】
中空の箱形枠体と、最少二本の巻き軸と、広告面板とを備え、
前記中空の箱形枠体は、複数本の骨組みから構成され、かつ少なくとも二面の互いに対応する広告展示面があり、
前記巻き軸は、一定距離を隔てて直立して前記箱形枠体内の容置空間の最少両対応側に枢設され、前記最少二本の巻き軸の距離は広告面の大きさによって定められ、その中の一本の巻き軸を主動巻き軸とし、かつ前記主動巻き軸の一端は伝動モータに連結されて前記最少二本の巻き軸の駆動回転に供され、
前記広告面板は、前記最少二本の巻き軸間に巻き付けいており、かつ最少二面の広告展示面の完全展示に供され、前記広告面板には二面に内容の違うまたは同じ広告があり、
前記伝動モータの駆動が前記最少二本の巻き軸を回転することにより、相対して前記広告面板の内容を移動して広告の変換を行い、前記伝動モータの間歇性回転に合わせて、前記広告面板の広告内容がその二面の広告展示面の正確な位置へ回わされたら予定時間停止し、別の正確な位置へ回わされて停止することを特徴とする複数の面がありかつ広告面は移動可能な広告看板。
【請求項２】
前記箱形枠体は四面の互いに対応する広告展示面があり、かつ四面の広告展示面の四つ隅にそれぞれ直立する四本の巻き軸が枢設され、前記四本の巻き軸の距離は広告面の大きさによって定められ、かつ同じくその中の一本の巻き軸を主動巻き軸とし、前記主動巻き軸の一端は前記伝動モータに連結されて前記四本の巻き軸の駆動回転に供されることを特徴とする請求項１に記載の複数の面がありかつ広告面は移動可能な広告看板。
【請求項３】
前記四本の巻き軸の間には四面の広告展示面の完全展示に供される広告面板が巻き付けてあり、前記広告面板には四面内容の違うまたは同じ広告があり、前記伝動モータの駆動によって四本の巻き軸が回転し相対して前記広告面板の広告を変換することが可能であり、伝動モータの間歇性回転に合わせて前期広告面板の四面の広告内容が四面の広告展示面の正確な位置に回されてからある一定時間停止し、それから別の正確な位置へ変換して停止することを特徴とする請求項２に記載の複数の面がありかつ広告面は移動可能な広告看板。
【請求項４】
前記巻き軸と前記広告面板間の巻き駆動方式は、前記広告面板の上下両側縁にそれぞれ複数個の孔を備え、前記巻き軸の上下両端縁にそれぞれ前記孔と互いに噛み合う歯車を備えることを特徴とする請求項３に記載の複数の面がありかつ広告面は移動可能な広告看板。
【請求項５】
前記広告面板の前記巻き軸間の巻き移動をよくするため、柔らかくて折り曲げ可能な撓み性材料を採用し、その撓み性材料の特性を通じて実際的ニーズを達成することを特徴とする請求項４に記載の複数の面がありかつ広告面は移動可能な広告看板。
【請求項６】
前記箱形枠体の容置空間内の前記巻き軸の間に少なくとも一つの照明設備を備え、前記照明設備の照射を通じて各広告展示面の広告面板を映しだし、広告面板のよい広告効果を発揮することを特徴とする請求項４に記載の複数の面がありかつ広告面は移動可能な広告看板。
【請求項７】
前記箱形枠体の広告展示面の外側はそれぞれ透明な材料によって密封され、前記広告面板の質感を保護並びに増やすことを特徴とする請求項４に記載の複数の面がありかつ広告面は移動可能な広告看板。
【請求項８】
前記箱形枠体の底部に基台を備え、広告看板はしっかりと支え面に直立することを特徴とする請求項４に記載の複数の面がありかつ広告面は移動可能な広告看板。
【請求項９】
前記箱形枠体は壁または天井に吊り掛け可能であることを特徴とする請求項４に記載の複数の面がありかつ広告面は移動可能な広告看板。
【考案の詳細な説明】
【技術分野】
【０００１】
本考案は複数の面がありかつ広告面は移動可能な広告看板に関するもので、特に最少二面の互いに対応する広告展示面があり、その一面の広告面板の広告内容は広告看板内の最少二本の巻き軸の回転を通じて、その広告展示面の正確な位置に回わされたらある時間停止し、それから別の正確な位置に回わされて停止する。このようにその広告面の移動転換を通じて広告看板の融通性と活発性を増やすとともに、周囲の歩行者の目を引きつけ、広告看板の最大の効果を発揮することができる。
【背景技術】
【０００２】
時代の脈動に伴い、今の世の中は逐次多元化の時代に変わり、各種新しい生活用品が続々と開発され、人々の要求は品質の重視に対してますます高くなり、そのために未来の生活用品がより便利で、より効果的なサービスを提供することができるかは各国の生活レベルが他国をリードしているかの重要な指標になっている。
【０００３】
しかし、一般日常生活に見える広告看板の多くは静止態の文字または図案の表示であり、かつその広告面はその広告看板の平面に固定して設けられているので、周囲の歩行者が止まってその広告看板の広告面の内容を見ることにより、広告の宣伝効果が達成される。
【０００４】
ところが、その広告面は静止態で設置されているため、外観と視覚上に於いて融通性と活発性がなく、かつ広告の看板は周囲の歩行者の注意を引き付けることが難しいので、広告の創意者が大量の創意を広告面の内容に費やしたにも拘わらず、広告看板の静止態及び一面展示の設計に限られて広告看板の広告効果を達成することができない。
【０００５】
更に、その広告面は広告看板の平面に固定して設けられているので、その広告面は容易に多種見られる展示面に変えることができず、一部の歩行者だけがその広告面を見ることができ、大勢の歩行者に見てもらえない。これによりその広告看板の最大の広告効果を発揮することができないため、広告の目的を大幅に制限してしまう。
【０００６】
また、広告面を変える必要がある場合、通常はその広告面をその広告看板の平面から取り外しているが、その広告面を取り外す時に不注意にそれを壊してしまい、そのために広告面は引き続き使用することができなくなり、資源上の浪費になってしまう。それ故に、使用上大きな制限を受けてしまうので、上記欠点を解決して現在の競争の激しい広告市場に合致する実用性のある広告看板を提供することができれば、設計上の大きな進歩と突破であり、かつ人間社会に対して大きな朗報でもある。
【考案の開示】
【考案が解決しようとする課題】
【０００７】
上記説明に鑑み、一般市場にある広告看板の広告面の多くは静止態の設置方式であり、それは外観と視覚上に於いて融通性がなく味気ないだけでなく、現在の人々の視覚上の高い標準の要求を得ることができず、市場のニーズに基づいて早急に広告看板の広告面に変化を与えてやらなければ、勢いの激しい流行の風潮の中で淘汰されてしまう恐れがある。そのために考案者は長期間の努力研究と実験を経た後、ついに本考案の複数の面がありかつ広告面は移動可能な広告看板を開発設計することができた。
【課題を解決するための手段】
【０００８】
本考案の目的は複数の面がありかつ広告面は移動可能な広告看板を提供するもので、その広告看板には最少二面の互いに対応する広告展示面があり、かつその広告展示面内には最少二本の巻き軸が採用されて広告看板の広告面の内容を駆動並びに制御し、それが二面の広告展示面の正確な位置に回わされたらある時間停止し、それから別の正確な位置に回わされて停止する。このようにその広告面の移動転換を通じて広告看板の融通性と活発性を増やすと同時に、周囲の歩行者の目を引き付け、その広告看板の最大の効果を発揮することができ、伝統的広告看板の融通性のない、周囲の歩行者の注意を引き付けにくい欠点を効果的に解決することができるので、それは実に完璧な設計と言える。
【考案を実施するための最良の形態】
【０００９】
本考案の実施例は「複数の面がありかつ広告面は移動可能な広告看板」に関するもので、図１及び図２に示す如く、その広告看板は複数本の骨組み１１から構成された中空の箱形枠体１０であり、その箱形枠体１０内の容置空間の両側には直立して一定距離を隔てる少なくとも二本の巻き軸１２が設けられ、それら巻き軸１２の距離は広告面の大きさによって定められ、並びにその中の一本の巻き軸１２を主動巻き軸１２とし、かつその主動巻き軸１２の一端は伝動モータ１３に連結されてそれの駆動回転に供される。
【００１０】
図１に於いて、その箱形枠体１０には二面の互いに対応する広告展示面１０１、１０２があり、かつその二本の巻き軸１２間にはその広告面板がちょうどその二面の広告展示面１０１、１０２の完全展示に供される広告面板１４が巻き付けられ、その広告面板１４には二面の内容の違うまたは同じ広告があり、その伝動モータ１３の駆動によってそれら巻き軸１２が回わされ、相対して広告面板１４の内容が移動されて広告の変換を行い、並びに伝動モータ１３の間歇性回転に合わせて、その広告面板１４の広告内容がその二面の広告展示面１０１、１０２の正確な位置へ回わされ、ある予定時間停止して周囲の歩行者の目を引き付け、それから別の正確な位置へ回わされて停止し、それによってその広告の融通性を発揮し、更に進んで極めてよい広告効果を達成し、それと同時に、その広告看板の複数展示面１０１、１０２のある視覚面を提供する。
【００１１】
図１は箱形枠体１０に二面の互いに対応する広告展示面１０１、１０２のあるものを例としたが、ここで説明を加えるのは、本考案が実施される場合はそれに局限されなく、それはその箱形枠体１０を四面の互いに対応する広告展示面１０１、１０２、１０３、１０４のあるものにしてもよく、図３に示す如く、その四面の互いに対応する広告展示面１０１、１０２、１０３、１０４の四つ隅にそれぞれ直立する四本の巻き軸１２が枢設され、それら巻き軸１２の距離はその広告面大きさによって定められ、かつ同じくその中の一本の巻き軸１２を主動巻き軸１２とし、並びにその主動巻き軸１２の一端を前記伝動モータ１３に連結してその四本の巻き軸１２の駆動回転に供される。
【００１２】
図３に於いて、その四本の巻き軸１２の間には四面の広告展示面１０１、１０２、１０３、１０４の完全展示に供される広告面板１４が巻き付いてあり、それはその広告面板１４を動かして広告を変換することができ、並びに伝動モータ１３の間歇性回転に合わせてその広告面板１４の四面の広告内容がその四面の広告展示面１０１、１０２、１０３、１０４の正確な位置に回されるとある一定時間停止して周囲の歩行者の目を引き付け、それから別の正確な位置へ変換して停止し、それによってその広告看板に複数の展示面１０１、１０２、１０３、１０４のある視覚面を提供し、歩行者の目を引き付ける。
【００１３】
本実施例に於いて、その巻き軸１２と広告面板１４間の巻き駆動方式は、図１、図２、及び図３に示す如く、それはその広告面板１４の上下両側縁にそれぞれ複数個の孔１４１が設けられ（フィルム上下両側縁の巻き軸孔に類似する）、さらにそれら巻き軸１２の上下両端縁にそれぞれそれら孔１４１と互いに噛み合う歯車１２１が設けられる。なお、その図１、図２、及び図３はそれら孔１４１が互いに歯車１２１に噛み合っていることを例として説明したが、本考案が実施される場合はこれに局限されなく、すべてそれら巻き軸１２と広告面板１４間の巻き動き動作を駆動することができる変化または改修はすべて本考案の創作領域に属するものとする。
【００１４】
本実施例に於いて、その箱形枠体１０の広告展示面１０１、１０２、１０３、１０４の外側はそれぞれ透明な材料（例えばガラス、アクリル）によって密封し、それによって広告面板１４の質感を保護並びに増やす。
本実施例に於いて、その広告面板１４のそれら巻き軸１２間の巻き移動をよくするため、柔らかくて折り曲げ可能な撓み性材料を採用し、その撓み性材料の特性を通じてこの実際的ニーズを達成することができる。
【００１５】
本実施例に於いて、図１、図２、及び図３に示す如く、その箱形枠体１０の容置空間内のそれら巻き軸１２の間に少なくとも一つの照明設備１５を設けてもよく、その照明設備１５の照射を通じて各広告展示面１０１、１０２、１０３、１０４の広告面板１４を映しだし、広告面板１４のよい広告効果が発揮される。
本実施例に於いて、図１、図２、及び図３に示す如く、その箱形枠体１０の底部に基台１６を設け、それによって広告看板はしっかりと支え面に直立し、またはその箱形枠体１０は必要によって壁または天井に吊り掛けることができる（図面には示されていない）。
【００１６】
すなわち、本実施例の最大特色は最少二本の巻き軸１２が採用されてその広告看板の広告面板１４の内容を駆動並びに制御し、複数面で移動可能な広告内容を行い、その広告看板の融通性と活発性を増やして歩行者の目を引き付け、広告看板の最大の効果が発揮される。
【００１７】
これにより、本考案の変化のある設計を通じて、それは構造が簡単な長所があるだけでなく、かつ全体的設計はその広告看板の広告面板１４に移動変換が可能で複数面（最少二面）の展示視覚面があるようする。こうすれば伝統的広告看板の融通性がない、周囲歩行者の注意を引き付けにくい欠点を効果的に解決することができる、本考案は実に人間性に符合した設計であると言える。
【図面の簡単な説明】
【００１８】
【図１】本考案の立体外観図である。
【図２】第１図の正面断面図である。
【図３】本考案の別の実施例の立体外観図である。
【符号の説明】
【００１９】
１０  箱形枠体、１１  骨組み、１２  巻き軸、１３  伝動モータ、１４  広告面板、１４１  孔、１２１  歯車、１５  照明設備、１６  基台、１０１、１０２、１０３、１０４  広告展示面
【図１】
0003107980.tif 000003
【図２】
0003107980.tif 000004
【図３】
0003107980.tif 000005